(57)【特許請求の範囲】
【請求項１】
複数の回転台付きカメラ部と、パソコン又は専用端末で構成される蓄積部と、パソコン又は専用端末で構成される表示部とがＩＰネットワークで接続されたネットワークカメラ監視システムにおいて、
前記カメラ部は、画像データを逐次記録するためのメモリを有するとともに前記ネットワークのトラヒックを監視するトラヒック監視手段を有しており、前記トラヒック監視手段は、前記ネットワークの混雑度に応じて前記画像データの映像信号処理を変更し、前記表示部に送ることを特徴とするネットワークカメラ監視システム。
【請求項２】
前記画像データの映像信号処理がアパーチャを制御することを特徴とする請求項１記載のネットワークカメラ監視システム。
【請求項３】
前記カメラ部は、アラームの発生時には、時間、カメラの設置場所情報、回転台付きカメラのポジション情報、アラーム発生事由を収得し、前記メモリに記憶するとともに、前記ネットワークを介して前記表示部に送ることを特徴とする請求項１記載のネットワークカメラ監視システム。
【請求項４】
前記カメラ部は、ＣＣＤの電荷蓄積時間および映像出力レベルを制御して画像データを生成し、前記画像データを２フィールドに１回前記ネットワークを介して前記表示部に送ることを特徴とする請求項１記載のネットワークカメラ監視システム。
【発明の詳細な説明】
【０００１】
【発明の属する技術分野】
本発明はネットワークカメラ監視システムに関し、特に複数の監視機能付きカメラサイトをネットワークに接続して、ネットワークのトラヒック状態をみながら表示部に転送しうるよう構成したものである。
【０００２】
【従来の技術】
従来のネットワークカメラ監視システムは、図５に示されるように、カメラ部51と、同軸ケーブルなどからなるネットワーク52と、ＶＴＲ、ＰＤ、ＤＶＤ等からなる蓄積部53と、モニターＴＶなどからなる表示部54とから構成されており、カメラ部51が撮ったアナログ画像情報そのものをベタ取り画像情報としてネットワーク(同軸ケーブル)52を介して画像情報の蓄積手段53としてのＶＴＲ、ＰＤ、ＤＶＤ等で全部保存しているが、前記蓄積手段53の記憶容量に限りがあるので、ネットワークカメラ監視システムとしてセキュリティシステムへの貢献度は十分であるとはいい難い点があった。また、アラーム情報についても、アラームの発生と同時にネットワーク52を介して画像情報として上記したＶＴＲ、ＰＤ、ＤＶＤ等に記録させていたが、ネットワークのトラヒックによっては同時性が担保されないという課題があった。
【０００３】
【発明が解決しようとする課題】
そこで、本発明は上記の問題点を解消し、ネットワークの特性を考慮しつつ、カメラサイトのデータ保持時間、ネットワークへの転送方法、転送タイミングを工夫することによって、セキュリティシステムへ十分貢献できるネットワークカメラ監視システムを提供することを目的とする。
【０００４】
【課題を解決するための手段】
上記課題を解決するために、本発明は複数の回転台付きカメラ部と、パソコン又は専用端末で構成される蓄積部と、パソコン又は専用端末で構成される表示部とがＩＰネットワークで接続されたネットワークカメラ監視システムにおいて、前記カメラ部は、画像データを逐次記録するためのメモリを有するとともに前記ネットワークのトラヒックを監視するトラヒック監視手段を有しており、前記トラヒック監視手段は、前記ネットワークの混雑度に応じて前記画像データの映像信号処理を変更し、前記表示部に送ることを特徴とする。
【０００５】
【発明の実施の形態】
本発明の請求項１に記載の発明は、複数の回転台付きカメラ部と、パソコン又は専用端末で構成される蓄積部と、パソコン又は専用端末で構成される表示部とがＩＰネットワークで接続されたネットワークカメラ監視システムにおいて、前記カメラ部は、画像データを逐次記録するためのメモリを有するとともに前記ネットワークのトラヒックを監視するトラヒック監視手段を有しており、前記トラヒック監視手段は、前記ネットワークの混雑度に応じて前記画像データの映像信号処理を変更し、前記表示部に送ることを特徴とするネットワークカメラ監視システムとしたものであり、ネットワークのトラヒック状態に応じて送出する画像のデータ量を可変することができるという作用を有する。
【０００６】
また、本発明の請求項２に記載の発明は、前記画像データの映像信号処理がアパーチャを制御することを特徴とする請求項１に記載のネットワークカメラ監視システムとしたものであり、アパーチャを制御することにより画像データの転送量を可変できるという作用を有する。
【０００９】
また、本発明の請求項３に記載の発明は、前記カメラ部は、アラームの発生時には、時間、カメラの設置場所情報、回転台付きカメラのポジション情報、アラーム発生事由を収得し、前記メモリに記憶するとともに、前記ネットワークを介して表示部に送ることを特徴とする請求項１に記載のネットワークカメラ監視システムとしたものであり、従来よりも詳細なアラーム情報を収得することができるという作用を有する。
【００１１】
また、本発明の請求項４に記載の発明は、前記カメラ部は、ＣＣＤの電荷蓄積時間および映像出力レベルを制御して画像データを生成し、前記画像データを２フィールドに１回前記ネットワークを介して前記表示部に送ることを特徴とする請求項１に記載のネットワークカメラ監視システムとしたものであり、ネットワークに送出するデータ量を減らすことができるという作用を有する。
【００１２】
以下、本発明の実施の形態について、図面に基づき説明する。
本発明は、セキュリテイシステムを補完するためのネットワークカメラ監視システムであり、基本的には、動き検出手段を持つ複数の回転台付き、又はマイク付きカメラ部と、パソコン又は専用表示端末で構成される蓄積部と、パソコン又は専用表示端末で構成される表示部と、必要があればアドレス管理などのための管理サーバとをイーサネット等のネットワーク（ＬＡＮ、公衆網でもよい）を介して結合するようにして構成されるものである。
【００１３】
図１は、本発明の実施の形態におけるネットワークカメラ監視システムの概要構成を示すものである。図１において、ネットワークカメラ監視システムは、複数のカメラ部１と、ネットワーク２と、パソコン又は専用表示端末などからなる蓄積部３と、同じくパソコン又は専用表示端末などからなる表示部４と、ネットワークドメインなどのアドレス管理をするための管理サーバ５とから構成されている。
【００１４】
図２は、図１のカメラ部１をより細分化し、図１よりも詳細なネットワークカメラ監視システムの構成を示すものである。図２において、カメラ部１は複数設けられるとともに、各カメラ部１（図３参照）には画像データを記憶するメモリ（図３参照）と動き検出部10が内蔵されている。図示していないが、各カメラ部は回転台付き、又はマイク付きで構成されており、カメラの回転方向の制御、音声の収録などを適宜実施できるようにする。図２においては、カメラ部１は、直接ネットワーク２に結合されるもの、コントロールボックス11を経由してネットワーク２に結合されるもの、更にコントロールボックス11とアラーム画像サーバ12を経由してネットワーク２に結合されるものが示されている。
【００１５】
カメラ部１が直接ネットワーク２に結合されるものは、従来どおりの動作でネットワーク２に結合されるが、カメラ部１がコントロールボックス11を経由してネットワーク２に結合されるものは、コントロールボックス11で外部条件が付加され、外部条件に応じて画像データの転送量をコントロールするようにしている。一例としては、アパーチャを制御することでもって画像のデータ量を制御してネットワークのトラヒックの混雑度に対処する。
【００１６】
また、カメラ部１がコントロールボックス11とアラーム画像サーバ12を経由してネットワーク２に結合されるものは、アラーム画像サーバ12でカメラ部１から転送された画像データを逐次保持しており、アラームの発生をコントロールボックス11から入力されるとアラーム情報の同時性を確保する観点からアラーム情報を表示部４に転送する。この際、ネットワーク２のトラヒックが混雑していた場合には、通信の混雑具合を見ながら必要最低減の画像データを送るようにする。
【００１７】
また、データとして音声と映像を同時に送る場合には音声を映像に優先させて表示部に送るようにする。これは、音声が途切れるということが監視者にとって気になるのを防ぐためである。
【００１８】
なお、画像データをカメラ部１で消すタイミングは、アラーム画像サーバ12に転送直後ではなく、アラーム画像サーバ12で二次記憶し終わったことを通知されることによって行なうことが望ましい。
【００１９】
図３は、図１のカメラ部１の構成を示すブロック図である。図３において、カメラ部は、カメラ制御部25による絞り制御を受けるレンズ21と、ＣＣＤ素子22と、ＡＧＣ23と、Ａ／Ｄ変換器24と、カメラ制御部25と、電荷蓄積時間制御部26と、ビデオデジタルプロセス部27と、ＪＰＥＧエンコーダ28と、動き検出部29と、アラーム監視部30と、記憶部31と、サーバ32と、ＴＣＰ／ＩＰ部33と、接点制御部34とから構成されている。そして、動き検出部29は、ビデオデジタルプロセス部27のプロセスから動きが検出されるようにされ、アラーム監視部30は、アラームの発生により接点制御部34の接点情報、動き検出部29からの監視対象の動きからアラーム監視すべき事態の発生を判断して記憶部31にデータを記憶すると共に、記憶部31からサーバ32、ＴＣＰ／ＩＰ部33を経てネットワークに伝送するようにしている。アラーム情報としては、カメラ映像信号、アラームログ情報、アラーム発信情報が伝送される。
【００２０】
また、図４は、図３のカメラ部でのＣＣＤ電荷蓄積制御による出力データの生成の様子を示す図であり、通常は１フィールド毎に所定の映像出力レベルでもってネットワークにデータ転送しているが、夜間においては、フィールド間隔（図４の場合は、２フィールド毎）を広くとって感度を上げ且つ映像出力レベルを通常の場合に比べて２倍に上げネットワークにデータ転送するようにする。これにより、同じデータをネットワークに送出しないようにすることができる。
最後にアドレス管理について図２を用いて説明すると、マイク付きカメラ部１では、映像と音声の両方のデータを収得することができるので、カメラ部１のメモリ（記憶部）においては、ネットワークドメイン形式を用いて映像と音声の記録ファイルを作成しておき、それを別々に表示部４に転送するようにする。そのためには、アドレス管理する管理サーバ５を用意しておく必要がある。
【００２１】
このようにアドレス管理を実施しておくと、たとえＩＰアドレスが変わってもカメラ固有のＭＡＣアドレスとカメラ名だけを情報にしてカメラの表示切り替えなどの選択を実施することができ、常に設置時に設定した一定の組み合わせが保たれるので、好都合である。また、設置時に使用するＩＰアドレスを示して（入力）後に組み合わせが変わるＤＨＣＰによってアドレス付与の関係が変化しても、同時に設定したカメラ名とＭＡＣ（固有アドレス）との関連を記憶しておくことで、ＩＰアドレスによって通信していることをユーザから隠すことができるので、この点からも好都合である。
【００２２】
【発明の効果】
以上説明したように本発明の請求項１に記載の発明は、複数の回転台付きカメラ部と、パソコン又は専用端末で構成される蓄積部と、パソコン又は専用端末で構成される表示部とがＩＰネットワークで接続されたネットワークカメラ監視システムにおいて、前記カメラ部は、画像データを逐次記録するためのメモリを有するとともに前記ネットワークのトラヒックを監視するトラヒック監視手段を有しており、前記トラヒック監視手段は、前記ネットワークの混雑度に応じて前記画像データの映像信号処理を変更し、前記表示部に送ることを特徴とするネットワークカメラ監視システムとしたものであり、ネットワークのトラヒック状態に応じて送出する画像のデータ量を可変することができるという効果を有する。
【００２３】
また、本発明の請求項２に記載の発明は、前記画像データの映像信号処理がアパーチャを制御することを特徴とする請求項１に記載のネットワークカメラ監視システムとしたものであり、アパーチャを制御することにより画像データの転送量を可変できるという効果を有する。
【００２６】
また、本発明の請求項３に記載の発明は、前記カメラ部は、アラームの発生時には、時間、カメラの設置場所情報、回転台付きカメラのポジション情報、アラーム発生事由を収得し、前記メモリに記憶するとともに、前記ネットワークを介して表示部に送ることを特徴とする請求項１に記載のネットワークカメラ監視システムとしたものであり、従来よりも詳細なアラーム情報を収得することができるという効果を有する。
【００２８】
また、本発明の請求項４に記載の発明は、前記カメラ部は、ＣＣＤの電荷蓄積時間および映像出力レベルを制御して画像データを生成し、前記画像データを２フィールドに１回前記ネットワークを介して前記表示部に送ることを特徴とする請求項１に記載のネットワークカメラ監視システムとしたものであり、ネットワークに送出するデータ量を減らすことができるという効果を有する。
【図面の簡単な説明】
【図１】本発明の実施の形態に係るネットワーク監視カメラシステムの概略構成を示す図、
【図２】本発明の実施の形態に係るネットワーク監視カメラシステムの構成を示す図、
【図３】本発明の実施の形態に係るカメラ部の構成を示すブロック図、
【図４】本発明の実施の形態に係るカメラ部でのＣＣＤ電荷蓄積制御による出力データの生成の様子を示す図、
【図５】従来のネットワーク監視カメラシステムの概略構成を示す図である。
【符号の説明】
１、51  カメラ部
２、52  ネットワーク
３、53  蓄積部
４、54  表示部
５  管理サーバ
10、29  動き検出部
11  コントロールボックス
12  アラーム画像サーバ
21  レンズ
22  ＣＣＤ
23  ＡＧＣ
24  Ａ／Ｄ変換器
25  カメラ制御部
26  電荷蓄積時間制御部
27  ビデオデジタルプロセス部
28  ＪＰＥＧエンコーダ
30  アラーム監視部
31  記憶部
32  サーバ
33  ＴＣＰ／ＩＰ部
34  接点制御部
【図１】
0003729660.tif 000002
【図２】
0003729660.tif 000003
【図３】
0003729660.tif 000004
【図４】
0003729660.tif 000005
【図５】
0003729660.tif 000006